(57)【要約】【課題】遊技媒体の表面に付着した汚れを定量的に検査媒体に転写できる遊技媒体の汚れ転写装置を提供する。【解決手段】メダルＭを投入する凹溝１１が形成された整列ガイド１０をチャンバー部材２０で支持ベース３０に固定し、チャンバー部材２０の開口下端から１枚ずつ供給されてメダル送出待機部３１ａに待機しているメダルＭを送出手段４０のピストン部材４３により順次メダル通過路３１の下流側へ押し出し、検査紙保持手段５０に保持された検査紙Ｐの上面から押圧手段６０により押圧することで、メダル通過路３１内を排出部３１ｂへ向けて移動して行くメダルＭと検査紙Ｐとを適宜な接触抵抗で接触させ、メダルＭの表面に付着した汚れを定量的に検査紙Ｐへ転写させる。【選択図】図２
2008067973.tif 000002
【特許請求の範囲】
【請求項１】
遊技媒体の表面に付着した汚れを検査媒体に転写する遊技媒体の汚れ転写装置であって、
遊技媒体を１つ宛て整列状に遊技媒体通過路へ送り出す送出手段と、
前記送出手段により送り出されて遊技媒体通過路を下流側へ移動してゆく遊技媒体に検査媒体の汚れ転写面を接触させ得る状態で検査媒体を保持する検査媒体保持手段と、
前記検査媒体保持手段によって保持された検査媒体の汚れ転写面が遊技媒体に摺接するように、前記検査媒体の汚れ転写面を遊技媒体に対して所定荷重で押圧する押圧手段と、
を備えたことを特徴とする遊技媒体の汚れ転写装置。
【請求項２】
前記検査媒体は、一方の面を汚れ転写面、他方の面を押圧受け面とするシート部材であり、
前記押圧手段は、前記シート部材の押圧受け面を押圧する押圧部材と、該押圧部材をシート部材の押圧受け面と略直交する方向に移動させ得る状態で支持する支持部材と、前記押圧部材を前記シート部材の押圧受け面へ所定荷重にて押圧させるように付勢する付勢部材と、を含むことを特徴とする請求項１に記載の遊技媒体の汚れ転写装置。
【請求項３】
前記押圧手段は、弾性部材を介して前記シート部材の押圧受け面を押圧するようにしたことを特徴とする請求項２に記載の遊技媒体の汚れ転写装置。
【請求項４】
前記送出手段は、遊技媒体通過路内を摺動する摺動部材を含み、この摺動部材の往復運動によって遊技媒体を遊技媒体通過路の下流側へ押し出すようにしたことを特徴とする請求項１〜請求項３の何れか１項に記載の遊技媒体の汚れ転写装置。
【請求項５】
前記遊技媒体は、略平坦な二面を有するメダル又は硬貨とし、検査媒体の汚れ転写面に遊技媒体の略平坦な面を摺接させるようにしたことを特徴とする請求項１〜請求項４の何れか１項に記載の遊技媒体の汚れ転写装置。
【請求項６】
遊技媒体の表面に付着した汚れを検査媒体に転写する遊技媒体の汚れ転写方法であって、
遊技媒体を１つ宛て整列状に遊技媒体通過路へ送り出す送出工程と、
前記遊技媒体通過路の適所で、前記送り出される遊技媒体に検査媒体の汚れ転写面が摺接するように、前記検査媒体の汚れ転写面を遊技媒体に対して所定荷重で押圧することで、前記遊技媒体の表面に付着した汚れを前記検査媒体の汚れ転写面へ定量的に転写させる転写工程と、
を含むことを特徴とする遊技媒体の汚れ転写方法。
【請求項７】
前記転写工程において、検査媒体の押圧は、弾性部材を介して行なうようにしたことを特徴とする請求項６に記載の遊技媒体の汚れ転写方法。
【請求項８】
前記遊技媒体は、略平坦な二面を有するメダル又は硬貨とし、検査媒体の汚れ転写面に遊技媒体の略平坦な面を摺接させるようにしたことを特徴とする請求項６又は請求項７に記載の遊技媒体の汚れ転写方法。
【請求項９】
前記請求項６〜請求項８に記載の遊技媒体の汚れ転写方法により、遊技媒体の汚れを検査媒体に転写し、
汚れが転写された前記検査媒体の汚れ転写面を画像データとして取り込み、該画像データを数値化して、遊技媒体の汚れの程度を評価するようにしたことを特徴とする遊技媒体の汚れ評価方法。
【発明の詳細な説明】
【技術分野】
【０００１】
本発明は、スロットマシンやパチンコ機等の遊技機で使用される遊技媒体の表面に付着した汚れを検査紙等の検査媒体に転写する遊技媒体の汚れ転写装置および遊技媒体の汚れ転写方法、この遊技媒体の汚れ転写方法により遊技媒体の汚れを転写した検査媒体を用いて遊技媒体の汚れの程度の評価を行なう遊技媒体の汚れ評価方法に関する。
【背景技術】
【０００２】
一般に、スロットマシンやパチンコ機等の遊技機で使用される遊技媒体であるメダルやパチンコ球は、使用されるにつれ、その表面に遊技者の手垢、皮脂、塵芥、タバコの煙・灰等の様々な汚れが付着する。このような汚れは、見た目に好ましくないたけでなく、ベタつきや、手が汚れる等、遊技者に対して不快で不衛生な感じを与えてしまう。このようなことから、遊技場内では、遊技媒体の表面に付着した汚れを除去することが重要であった。
【０００３】
例えば、スロットマシン用の遊技媒体であるメダルは、一旦回収して、専用のメダル洗浄装置で洗浄することを行なっている。このような従来の洗浄装置として一般的なものに、ウエット方式のロール洗浄機がある。その基本的な作用は、メダルを搬送するベルト上にブラシロールをメダルの搬送方向と逆向きに回転するように設け、ブラシロールへ洗浄液を噴射する手段を設置し、搬送ベルトとブラシロール間にメダルをくぐらせてブラシロールとの接触によりメダルを洗浄するものである。この他にも、メダルをポリマーペレットともに攪拌することでメダル表面の汚れを研磨するドライ方式の洗浄装置も提案されている。
【０００４】
ところで、このような洗浄装置による効果を検証するためには、洗浄後のメダル表面に残留する汚れの程度を評価する必要がある。そこで、従来においては、メダル表面に残留する汚れを、一旦、白い検査布や検査紙等の検査媒体に転写し、検査媒体に転写された汚れの程度を画像解析・画像計測・画像処理ソフト等により評価することが行なわれている。その際、メダル表面に残留する汚れを検査布や検査紙に移すべく、例えば検査者が新品の白手袋をはめて、洗浄後のメダルの表面を擦るといったことや、メダルを一様に並べて、その表面に検査紙を手で押し付けて擦るといったことが行なわれている。
【０００５】
しかし、このような手法によって遊技媒体の汚れを検査媒体へ転写していたのでは、検査者が異なるたびに、或いは、その力加減によって、手袋や検査紙に転写される汚れの程度にバラつきが生じるため、正確で信頼性の高い評価を行なうことはできない。
【０００６】
そこで、球体試料（パチンコ球）を入れる有底円筒体の底部である回転円盤をモータにより回転可能とし、円筒体の内周面には球体試料汚れ測定用紙を周設しておき、回転円盤を一定数だけ回転させて、遠心力によって球体試料が円筒内周面に沿って周回した際に球体試料の表面に付着した汚れが球体試料汚れ測定用紙に転移して、その汚れ具合を測定するようにした球体試料汚れ測定装置等が提案されている（例えば、特許文献１を参照）。
【０００７】
【特許文献１】特開平１１−２０７６０１号公報
【０００８】
上記特許文献１に記載された発明によれば、人手を介して遊技媒体の汚れを検査媒体に転写する手法と違って、汚れの評価を定量的に行なうことが可能である。
【発明の開示】
【発明が解決しようとする課題】
【０００９】
しかしながら、上記特許文献１に記載の発明においては、その構成上、球体試料でなければ適用することができない。すなわち、例えば円盤状やメダル状をなすメダルや硬貨等の遊技媒体については、特許文献１に記載の発明装置によって、遊技媒体表面に付着した汚れを適切に検査媒体へ転写することができないのである。
【００１０】
本発明は、上記課題を鑑みてなされたものであり、その目的とするところは、遊技媒体の形状が球体ではなく、例えば円盤状やメダル状であっても、遊技媒体の表面に付着した汚れを定量的に検査媒体に転写できる遊技媒体の汚れ転写装置および遊技媒体の汚れ転写方法、この汚れ転写方法により検査媒体に転写した遊技媒体の汚れを評価する遊技媒体の汚れ評価方法を提供することにある。
【課題を解決するための手段】
【００１１】
上記の課題を解決するために、請求項１に係る発明は、遊技媒体の表面に付着した汚れを検査媒体に転写する遊技媒体の汚れ転写装置であって、遊技媒体を１つ宛て整列状に遊技媒体通過路へ送り出す送出手段と、前記送出手段により送り出されて遊技媒体通過路を下流側へ移動してゆく遊技媒体に検査媒体の汚れ転写面を接触させ得る状態で検査媒体を保持する検査媒体保持手段と、前記検査媒体保持手段によって保持された検査媒体の汚れ転写面が遊技媒体に摺接するように、前記検査媒体の汚れ転写面を遊技媒体に対して所定荷重で押圧する押圧手段と、を備えたことを特徴とする。
【００１２】
また、請求項２に係る発明は、前記請求項１に記載の遊技媒体の汚れ転写装置において、前記検査媒体は、一方の面を汚れ転写面、他方の面を押圧受け面とするシート部材であり、前記押圧手段は、前記シート部材の押圧受け面を押圧する押圧部材と、該押圧部材をシート部材の押圧受け面と略直交する方向に移動させ得る状態で支持する支持部材と、前記押圧部材を前記シート部材の押圧受け面へ所定荷重にて押圧させるように付勢する付勢部材と、を含むことを特徴とする。
【００１３】
また、請求項３に係る発明は、前記請求項２に記載の遊技媒体の汚れ転写装置において、前記押圧手段は、弾性部材を介して前記シート部材の押圧受け面を押圧するようにしたことを特徴とする。
【００１４】
また、請求項４に係る発明は、前記請求項１〜請求項３の何れか１項に記載の遊技媒体の汚れ転写装置において、前記送出手段は、遊技媒体通過路内を摺動する摺動部材を含み、この摺動部材の往復運動によって遊技媒体を遊技媒体通過路の下流側へ押し出すようにしたことを特徴とする。
【００１５】
また、請求項５に係る発明は、前記請求項１〜請求項４の何れか１項に記載の遊技媒体の汚れ転写装置において、前記遊技媒体は、略平坦な二面を有するメダル又は硬貨とし、検査媒体の汚れ転写面に遊技媒体の略平坦な面を摺接させるようにしたことを特徴とする。
【００１６】
上記課題を解決するために、請求項６に係る発明は、遊技媒体の表面に付着した汚れを検査媒体に転写する遊技媒体の汚れ転写方法であって、遊技媒体を１つ宛て整列状に遊技媒体通過路へ送り出す送出工程と、前記遊技媒体通過路の適所で、前記送り出される遊技媒体に検査媒体の汚れ転写面が摺接するように、前記検査媒体の汚れ転写面を遊技媒体に対して所定荷重で押圧することで、前記遊技媒体の表面に付着した汚れを前記検査媒体の汚れ転写面へ定量的に転写させる転写工程と、を含むことを特徴とする。
【００１７】
また、請求項７に係る発明は、前記請求項６に記載の遊技媒体の汚れ転写方法において、前記転写工程において、検査媒体の押圧は、弾性部材を介して行なうようにしたことを特徴とする。
【００１８】
また、請求項８に係る発明は、前記請求項６又は請求項７に記載の遊技媒体の汚れ転写方法において、前記遊技媒体は、略平坦な二面を有するメダル又は硬貨とし、検査媒体の汚れ転写面に遊技媒体の略平坦な面を摺接させるようにしたことを特徴とする。
【００１９】
上記課題を解決するために、請求項９に係る発明は、前記請求項６〜請求項８に記載の遊技媒体の汚れ転写方法により、遊技媒体の汚れを検査媒体に転写し、汚れが転写された前記検査媒体の汚れ転写面を画像データとして取り込み、該画像データを数値化して、遊技媒体の汚れの程度を評価するようにしたことを特徴とする。
【発明の効果】
【００２０】
請求項１に係る遊技媒体の汚れ転写装置によれば、遊技媒体を１つ宛て整列状に遊技媒体通過路へ送り出す送出手段と、前記送出手段により送り出されて遊技媒体通過路を下流側へ移動してゆく遊技媒体に検査媒体の汚れ転写面を接触させ得る状態で検査媒体を保持する検査媒体保持手段と、前記検査媒体保持手段によって保持された検査媒体の汚れ転写面が遊技媒体に摺接するように、前記検査媒体の汚れ転写面を遊技媒体に対して所定荷重で押圧する押圧手段と、を備えるので、検査媒体の汚れ転写面に遊技媒体が摺接しつつ遊技媒体通過路の下流へ送り出されて行くときに、検査媒体の汚れ転写面と遊技媒体とは所定荷重で押圧された状態に保持されることとなり、遊技媒体に付着した汚れを定量的に検査媒体へ転写することが可能となる。また、送出手段によって遊技媒体を１つ宛て整列状に遊技媒体通過路へ送り出し、押圧手段によって検査媒体の汚れ転写面を遊技媒体に対して所定荷重で摺接する構成を採用することにより、球体試料に限らず円盤状やメダル状の遊技媒体についても、遊技媒体表面に付着した汚れを適切に検査媒体へ転写することが可能となる。
【００２１】
また、請求項２に係る遊技媒体の汚れ転写装置によれば、前記検査媒体は、一方の面を汚れ転写面、他方の面を押圧受け面とするシート部材であり、前記押圧手段は、前記シート部材の押圧受け面を押圧する押圧部材と、該押圧部材をシート部材の押圧受け面と略直交する方向に移動させ得る状態で支持する支持部材と、前記押圧部材を前記シート部材の押圧受け面へ所定荷重にて押圧させるように付勢する付勢部材と、を含むので、付勢部材の付勢力を制御することでシート部材の転写面を遊技媒体に押圧するときの荷重を容易に調整することが可能となり、シート部材や遊技媒体の材質等に応じて荷重を微調整できる汎用性の高い装置となる。
【００２２】
また、請求項３に係る発明は、前記請求項２に記載の遊技媒体の汚れ転写装置において、前記押圧手段は、弾性部材を介して前記シート部材の押圧受け面を押圧するようにしたので、浅い刻印等の凹凸がある遊技媒体とシート部材の転写面が摺接するときの接触面積を高めることができ、また、シート部材の転写面に多少の曲がり凹凸が有ってもムラ無く接触させることができ、効率良く遊技媒体の汚れをシート部材の転写面へ転写させることが可能となる。
【００２３】
また、請求項４に係る発明は、請求項１〜請求項３の何れか１項に記載の遊技媒体の汚れ転写装置において、前記送出手段は、遊技媒体通過路内を摺動する摺動部材を含み、この摺動部材の往復運動によって遊技媒体を遊技媒体通過路の下流側へ押し出すようにしたので、遊技媒体を遊技媒体通過路内に隙間なく送り出すことができる。
【００２４】
また、請求項５に係る発明は、前記請求項１〜請求項４の何れか１項に記載の遊技媒体の汚れ転写装置において、前記遊技媒体は、略平坦な二面を有するメダル又は硬貨とし、検査媒体の汚れ転写面に遊技媒体の略平坦な面を摺接させるようにしたので、メダルや硬貨に付着した汚れを定量的に検査媒体へ転写することができる。
【００２５】
上記課題を解決するために、請求項６に係る発明は、遊技媒体の表面に付着した汚れを検査媒体に転写する遊技媒体の汚れ転写方法であって、遊技媒体を１つ宛て整列状に遊技媒体通過路へ送り出す送出工程と、前記遊技媒体通過路の適所で、前記送り出される遊技媒体に検査媒体の汚れ転写面が摺接するように、前記検査媒体の汚れ転写面を遊技媒体に対して所定荷重で押圧することで、前記遊技媒体の表面に付着した汚れを前記検査媒体の汚れ転写面へ定量的に転写させる転写工程と、を含むので、検査媒体の汚れ転写面に遊技媒体が摺接しつつ遊技媒体通過路の下流へ送り出されて行くときに、検査媒体の汚れ転写面と遊技媒体とは所定荷重で押圧された状態に保持されることとなり、遊技媒体に付着した汚れを定量的に検査媒体へ転写することが可能となる。
【００２６】
また、請求項７に係る発明は、前記請求項６に記載の遊技媒体の汚れ転写方法において、前記転写工程において、検査媒体の押圧は、弾性部材を介して行なうようにしたので、浅い刻印等の凹凸がある遊技媒体と検査媒体の汚れ転写面が摺接するときの接触面積を高めることができ、効率良く遊技媒体の汚れを検査媒体の汚れ転写面へ転写させることが可能となる。
【００２７】
また、請求項８に係る発明は、前記請求項６又は請求項７に記載の遊技媒体の汚れ転写方法において、前記遊技媒体は、略平坦な二面を有するメダル又は硬貨とし、検査媒体の汚れ転写面に遊技媒体の略平坦な面を摺接させるようにしたので、メダルや硬貨に付着した汚れを定量的に検査媒体へ転写することができる。
【００２８】
上記課題を解決するために、請求項９に係る発明は、前記請求項６〜請求項８に記載の遊技媒体の汚れ転写方法により、遊技媒体の汚れを検査媒体に転写し、汚れが転写された前記検査媒体の汚れ転写面を画像データとして取り込み、該画像データを数値化して、遊技媒体の汚れの程度を評価するようにしたので、適正でかつ信頼性の高い、定量的な汚れ評価を行なうことができる。
【発明を実施するための最良の形態】
【００２９】
次に、本発明に係る遊技媒体の汚れ転写装置の最良の実施形態として、略円形の平坦な二面を有するコイン形状のメダルＭ（スロットマシンに用いる遊技媒体）の表面に付着した汚れを紙製の検査媒体（シート部材）である検査紙Ｐに転写するメダルの汚れ転写装置（以下、単に「汚れ転写装置」と称する）に適用した構成を、添付図面に基づき説明する。図１は、本実施形態における汚れ転写装置１の全体構成を示す側面図である。図２は、図１の矢印ＩＩ方向から見た汚れ転写装置１の上面図である。図３は、図２の矢印ＩＩＩ方向から見た汚れ転写装置１の上面図である。
【００３０】
図１乃至図３に示すように、本実施形態における汚れ転写装置１は、主として、メダルＭを投入する凹溝１１が形成された整列ガイド１０と、当該整列ガイド１０の下端に配置され、メダルＭが順次供給されるように整列ガイド１０を支持ベース３０（後に詳述）に支持固定するチャンバー部材２０と、当該チャンバー部材２０の開口下端からメダル送出待機部３１ａに至ったメダルＭが送出手段４０（後に詳述）によって順次送り出されて最下流である排出部３１ｂへ至るように形成された略直線状のメダル通過路３１を備える支持ベース３０と、当該支持ベース３０のメダル送出待機部３１ａにて待機しているメダルＭを順次１枚ずつメダル通過路３１の下流側へ送り出す送出手段４０と、メダル通過路３１におけるメダル送出待機部３１ａよりも適宜下流でメダル通過路３１の開口上面を覆うように配置され、当該メダル通過路３１に沿って移動するメダルＭの上面近傍に検査紙Ｐの下面が位置するように検査紙Ｐを保持する検査紙保持手段５０と、当該検査紙保持手段５０に保持された検査紙Ｐの下面（汚れ転写面）が、メダル通過路３１に沿って移動するメダルＭの上面に摺接するように、検査紙Ｐの上面（押圧受け面）から下方（メダル通過路３１内にあるメダルＭの上面）へ所定荷重で押圧する押圧手段６０と、支持ベース３０における排出部３１ｂの下方に収容口７１が開口するように配置され、排出部３１ｂから押し出されて落下するメダルＭを収容する収容ボックス７０と、からなる。
【００３１】
上記整列ガイド１０は、例えば、半円筒状の長尺な部材であり、メダルＭの外周面に適合する凹面形状の凹溝１１には、複数のメダルＭの各平坦面が互いに当接する整列状態で貯留される。ここで、整列ガイド１０を中空円筒状ではなく半円筒状としているのは作業性向上等を考慮したためである。また、整列ガイド１０の自由端側（チャンバー部材２０に固定されていない側）は、高さ調整部８０の固定位置を変えることによって上方延出量を可変設定できる支柱８１の上端側によって支持され、その傾斜角度を調節可能なようにしてある。なお、整列ガイド１０の傾斜角度としては、例えば０度から９０度の間で調整可能であればよく、特に４５度〜６０度程度の傾斜角で固定されることが好ましい。このような傾斜角であれば、メダルＭの自重によって、支持ベース３０のメダル送出待機部３１ａへメダルＭを滞りなく投入することができる。なお、整列ガイド１０は、その傾斜角度を９０度（＝メダルが垂直に落下する角度）とした場合であっても、運用上、別段に問題が生じるものではないが、このように整列ガイド１０を直立させた状態で運用する場合には、メダルＭの飛び出しを防止するために、整列ガイド１０の開口部にカバーを設けることが好ましい。一方、整列ガイド１０の傾斜角度を、メダルＭが自重で落下しない角度（例えば０度）に調整して運用する場合には、整列ガイド１０に別途バネ材等を用いたメダルＭの押し出し機構を設けることにしても良い。
【００３２】
上記送出手段４０は、図３に示すように、いわゆるピストン構造にて構成したもので、回転駆動する電動モータ４１と、この電動モータ４１の回転駆動を直線駆動に変換するためのクランクシャフト４２と、このクランクシャフト４２を介して変換された直線駆動により支持ベース３０のメダル通過路３１内を往復運動しながら摺動する摺動部材としてのピストン部材と、を備え、このピストン部材４３の往復運動によってメダル送出待機部３１ａに待機しているメダルＭを順次１枚ずつメダル通過路３１に沿って下流側へ送り出す構成となっている。なお、送出手段４として、摺動部材を往復運動させる機構はピストン構造に限定されるものではなく、例えば、リニアソレノイドで摺動部材を往復運動させても良い。
【００３３】
具体的なメダルＭの送り出し動作を図４に基づいて説明する。ピストン部材４３はメダルＭの厚さよりわずかに薄い板状体であり、あるメダルＭ１をメダル送出待機部３１ａから送り出した後にピストン部材４３がメダル送出待機部３１ａから退くと、後続のメダルＭ２がメダル送出待機部３１ａにて待機した状態となる（図４（ａ）を参照）。引き続きピストン部材４３が往復運動を行なうことで、図４（ｂ）に示すように、ピストン部材４３がＡ方向へ移動すると、メダル送出待機部３１ａにて待機しているメダルＭ２はピストン部材４３によってメダル通過路３１の下流側へ押されて行き、メダルＭ２よりも下流側に位置するメダルＭ１等も一緒に下流側へ押されて行く。ピストン部材４３が最遠位置まで到達すると、メダルＭ２はメダル送出待機部３１ａよりも下流側へ送り出され（図４（ｃ）を参照）、ピストン部材４３が図４（ｄ）に示すようにＢ方向へ移動してメダル送出待機部３１ａより退くと、ピストン部材４３の上面に当接していた後続のメダルが、空きとなったメダル送出待機部３１ａへ落とし込まれて供給され、上述したメダルＭ２と同様に、ピストン部材４３によってメダル通過路３１の下流側へ送り出されるのである。
【００３４】
このような構成により、メダルＭをメダル通過路３１内に隙間なく１つ宛て整列状に送り出すことが可能となり、メダルＭを一定の押圧力で連続的に検査紙Ｐへ摺接させることができる。一方、メダルＭ間に隙間があると、検査紙Ｐの下面にメダルＭの周縁部が必要以上の力で押圧されることになるため、過度に汚れが転写されてしまう可能性が生じ、適正な汚れ転写を期せなくなってしまう。なお、電動モータ４１は、図示を省略したスピードコントローラによって回転速度を調整可能であり、このスピードコントローラによって、メダルＭの押出し速度を調整できる。メダルＭの押し出し速度としては、８０〜１２０枚／分程度であれば良好な試験結果が得られる。
【００３５】
上記検査紙保持手段５０は、図５および図６に示すように、メダル通過路３１の上部開口を覆うように配置され、当該メダル通過路３１に沿って移動するメダルＭの上面に検査紙Ｐの下面が接するように検査紙Ｐを固定する天板５１と、この天板５１の一方端側（メダル通過路３１の上流側）に設けた軸受部５１ａを回動自在に保持する軸承部材５２とからなる。この天板５１は、側縁適所から内側へ向かう幅狭な窪み状の切欠部５１ｂを設け、この切欠部５１ｂに対して、検査紙Ｐにも同様に設けた切欠部Ｐ１を咬合することで、検査紙Ｐの切欠部Ｐ１より排出部３１ｂに向う側を天板５１の下方に、メダル送出待機部３１ａに向う側を天板５１の上方に各々位置させた状態で、検査紙Ｐを保持する（図６（ｂ）を参照）。
【００３６】
このように検査紙Ｐを保持する構造とすれば、検査紙Ｐの下面にメダルＭが摺接しつつ排出部３１ｂへ向って移動しても、検査紙Ｐは天板５１に保持されているので、メダルＭの流れに追随して検査紙Ｐが排出部３１ｂへ流されることはない。なお、検査紙Ｐを天板５１へ取り付けたり取り外したりするときには、天板５１の一方端（メダル通過路３１の下流側端）を上方へ向けて屈曲形成した操作部５１ｃを指で摘んで上方へ持ち上げ、軸受部５１ａの回動軸を回動中心として操作部５１ｃ側を上向きに回動させれば良い。
【００３７】
また、図６（ｂ）に示すように、検査紙Ｐの一方端（排出部３１側の端部）は自重により垂れ下がっているので、後述する押圧手段６０による押圧力が作用していない場合でも、メダル通過路３１に沿って移動するメダルＭの上面に検査紙Ｐの下面が接するものとしたが、これに限らず、押圧手段６０による押圧力が作用していない場合には検査紙Ｐの下面がメダルＭに接触することがない保持構造とし、押圧手段６０による押圧力が作用したときに検査紙Ｐの下面がメダルＭに接触するようにしても良い。何れにしても、検査媒体保持手段たる検査紙保持手段５０としては、メダル通過路３１を下流側へ移動してゆくメダルＭの上面に検査紙Ｐの汚れ転写面（下面）を接触させ得る状態で検査紙Ｐを保持する機能を有していれば良い。なお、検査紙保持手段６０により保持する検査媒体としては、汚れ転写面と押圧受け面を有するシート部材、すなわちシート状のものであれば紙製のものに限定されず、布、皮革、ゴム、あるいはブラスト処理等を施して汚れを転写し易くしたプラスチック、金属等を用いても良い。
【００３８】
上記押圧手段６０は、図３、図５および図６に示すように、検査紙６の押圧受け面（メダルＭと接することのない上方の面）を間接的に押圧する押圧部材６１と、該押圧部材６１から上方へ突出するガイド部６１ａをガイド孔６２ａにて支持することで、押圧部材６１を検査紙Ｐの押圧受け面と略直交する方向に移動させ得る状態で支持する支持部材６２と、該支持部材６２を支持ベース３０に対して固定する固定部材６３と、上記押圧部材６１を検査紙Ｐの押圧受け面へ所定荷重にて押圧させるように付勢するコイルスプリング等の付勢部材６４とからなる。斯く構成した押圧手段６０によれば、押圧部材６１によって検査紙Ｐの押圧受け面を押圧するので、その結果として、検査紙Ｐの汚れ転写面がメダルＭに対して所定荷重で押圧されることになる。
【００３９】
しかして、本実施形態に係る汚れ転写装置１における押圧手段６０は、押圧部材６１によって検査紙Ｐを直接押圧するものとせず、天板５１の上面適所を押圧し、その押圧力が天板５１の下面適所に設けたスポンジ状の弾性部材５３を検査紙Ｐの押圧受け面へ押し付けるものとしたので、天板５１および弾性部材５３も押圧手段６０の構成要素である。このように、天板５１と検査紙Ｐとの間に介在させた弾性部材５４によって検査紙Ｐの押圧受け面を押圧する構成を採用すれば、刻印等が施されることで凹凸が形成されているメダルＭの表面であっても、検査紙Ｐが当該弾性部材５４を介して凹凸面に入り込んで、検査紙ＰとメダルＭとの接触面積を多くでき、メダルＭの表面に付着した汚れを効果的に検査紙Ｐへ転写できる。また、弾性部材５４の検査紙Ｐと向き合う面は必ずしも平面である必要はなく、例えば半球状、半円柱状（カマボコ形状）等であっても良い。また、形状や硬度の異なるものを複数用意して随時交換することにしても良い。
【００４０】
なお、押圧部材６１は、直接・間接を問わず、検査紙ＰとメダルＭとに適宜な接触抵抗が生ずるような荷重を与えることができれば良い。すなわち、荷重の大きさは、検査媒体の材質等に応じて調整できれば良く、押圧部材６１は、検査される対象物の大きさや上述した検査媒体の材質（布、皮革、ゴム、プラスチック、金属等）に応じて例えば１ｇ〜１００Ｋｇといった広範な範囲で調整できるような構造にすることが好ましい。なお、本実施形態のように検査媒体が紙（検査紙Ｐ）であって、これに標準的なメダルＭの汚れを転写する場合には、荷重の大きさは２０ｇ〜１００ｇであれば良好な試験結果が得られる。さらに、荷重を広範な範囲で調整できるようにすれば、例えば汚れを転写させるメダルＭの枚数が１枚といったように極端に少ない場合であっても、荷重を非常に大きくすることで汚れの転写を行なうことができる（但し、荷重が大きすぎると、メダルＭの表面に付着した汚れのみならずメダルＭ自体が研磨され、それが転写してしまうため注意する）。
【００４１】
このように、ピストン部材４３によって遊技媒体（メダルＭ）を１つ宛て整列状にメダル通過路３１内へ送り出し、押圧部材６１によって検査紙Ｐの汚れ転写面を遊技媒体（メダルＭ）に対して所定荷重で摺接するという構成を採用すれば、メダルＭのように、例えば球体試料ではなく円盤状やメダル状の遊技媒体であっても、遊技媒体表面に付着した汚れを適切に検査媒体（検査紙Ｐ）へ転写することができる。
【００４２】
上述した構成の汚れ転写装置１の整列ガイド１０へメダルＭを投入する際には、図７に示すような、メダル投入具９０を用いれば容易にこれを行なうことができる。また、評価前のメダルＭには出来るだけ手を触れないことが適正な評価を行なう上で好ましい（手を触れることで、メダルＭに付着していた汚れが移ってしまう可能性がある）ため、このようなメダル投入具９０を利用するのが合理的である。
【００４３】
上記メダル投入具９０は、メダルＭを収納する箱部材９１の底部適所にメダルＭよりも径の大なる略円形状のメダル導入孔９１ａを形成し、このメダル導入孔９１ａから入り込んだメダルＭを整列させて貯留する投入筒９２を箱部材９１の下方に固定した構造である。このような構成を採ることにより、手でメダル投入具９０を揺する（例えば、図７の⇔方向に往復運動させる）だけで、容易にメダルＭを投入筒９２内に詰め込み、整列された状態とすることができる。
【００４４】
また、投入筒９２の下方部の外周面には切り込み部９２ａを設け、この切り込み部９２ａに板状のストッパ部材９３が差し込まれることで、投入筒９２の下方部が閉塞され、投入筒９２内に整列状に貯まったメダルＭが漏れ出ないようになる。そして、メダルＭを整列ガイド１０の凹溝１１に投入する際には、このストッパ部材９３を切り込み部９２ａから引き抜き、投入筒９２内に整列状に貯留されたメダルＭが順次投入筒９２の下端開口より自由落下してゆくので、これを整列ガイド１０の凹溝１１へ導いてやればよい。このような構成のメダル投入具９０を用いれば、検査者は、手早く多くのメダルＭを整列ガイド１０の凹溝１１に投入することができ、また手が汚れることもない。
【００４５】
次に、上述した汚れ転写装置１に適用した汚れ転写方法の工程と、この汚れ転写方法により汚れの転写された検査媒体を用いて行なう遊技媒体の汚れ評価方法について、図面を参照しながら説明する。図８は、遊技媒体をメダルＭとし、検査媒体を検査紙Ｐとした実施形態における汚れ評価方法の一連の流れ（汚れ転写方法を含む）を示すフローチャートである。
【００４６】
検査者は、まず評価対象となるメダルＭを複数、整列ガイド１０の凹溝１１に投入する。この際、メダルＭの枚数は特に限定されるものではないが、上述したように、押圧部材６１による荷重の大きさが２０ｇ〜１００ｇであれば、メダルＭを１００〜４００枚程度投入することで、適度な濃度で汚れを検査紙Ｐに転写させることができる。
【００４７】
送り出し動作の開始に際して、メダル通過路３１にはメダル送出待機部３１ａにメダルＭが１枚だけ待機している状態で、その下流側にメダルＭは送り出されていない。そして、送出手段４０を作動させると、スピードコントローラの制御の下、電動モータ４１が所定の回転速度で回転し、クランクシャフト４２を介してピストン部材４３がメダル送出待機部３１ａへ進出・退避を繰り返す往復運動を開始する。このピストン部材４３の往復運動により、メダル送出待機部３１ａにて待機していたメダルＭは順次１枚ずつメダル通過路３１に沿って隙間なく送り出される（送出工程：Ｓ０１）。
【００４８】
メダル送出待機部３１ａから押し出されたメダルＭは、メダル通過路３１に沿って押圧手段６０の一構成要素である天板５１の下面に設けた弾性部材５３のところまで移動する。そして、押圧手段６０の押圧部材６１による押圧力が天板５１を介して弾性部材５３に加えられるので、弾性部材５３により検査紙Ｐの押圧受け面が押圧されて検査紙Ｐの汚れ転写面がメダルＭの上面に適宜な荷重で押圧され、メダルＭと検査紙Ｐの汚れ転写面との摺動抵抗が適宜な所定荷重に保たれた状態となり、送出手段４０の動作により、メダルＭは検査紙Ｐの汚れ転写面に摺接しつつ更に下流へと移動する。この際、押圧手段６０の付勢部材６４によって調整された所定荷重、好ましくは３０ｇ〜４０ｇの荷重で、検査紙Ｐの汚れ転写面がメダルＭの上面に対して押圧されるので、メダルＭの上面に付着した汚れを定量的に転写させることができる（転写工程：Ｓ０２）。
【００４９】
なお、押圧手段６０を通過したメダルＭは、さらに下流へと移動して、最終的にメダル排出部３１ｂまで到達したところで落下し、収容ボックス７０に収納される。繰り返し汚れを転写させる場合（例えばメダルＭの下面についても汚れを検査紙Ｐに転写させる場合）には、この収容ボックス７０に収納されたメダルＭを、再度、メダル投入具９０を用いて整列ガイド１０の凹溝１１に投入する。このような繰り返し作業を行なうことで、少ない枚数（例えば１００枚）のメダルＭを用いる場合であっても、検査紙Ｐに転写する汚れの量（白い検査紙に付着する汚れの濃さ）を高めることができる。
【００５０】
送出手段４０によって、整列ガイド１０の凹溝１１に投入されたメダルＭが全て押出されると、検査者は、当該送出手段４０の駆動を止め、メダルＭの汚れが転写された検査紙Ｐを天板５１から取り外す。外された検査紙Ｐは、図９に示すような評価データシート１００に貼付して保存管理する。この評価データシート１００には、例えば、メダルＭを回収した箇所（店舗）の名前記入欄１０１、回収した日付記入欄１０２、試験にて取得した検査紙Ｐの貼付欄１０３、備考欄１０４等が設けられており、検査者はそれらに必要事項を記入したりする。なお、評価データシート１００は、例えば時系列的な評価を行なうのに適した項目や配置としたものなど、複数種類を用意してもよい。
【００５１】
上記のようにしてメダルＭの表面に付着した汚れが転写された検査紙Ｐを貼付した評価データシート１００を用いれば、目視によっても容易に汚れの程度を比較、判定できるが、画像解析・画像計測・画像処理ソフト等を用いて解析し、メダルＭの定量的な汚れ評価を行なう（評価工程：Ｓ０３）ことで、目視のような主観的な判断要素が入り込まない客観的でかつ信頼性の高い評価を行なうことができる。
【００５２】
この評価工程においては、検査者は、この評価データシート１００に貼付された検査紙Ｐに付着した汚れの程度を画像解析・画像計測・画像処理ソフト等（以下、単に画像解析ソフトと称する）によって解析する。具体的には、評価データシート１００に貼付された検査紙Ｐをスキャナーやデジタルカメラで取り込み、画像ファイル（解像度は、３００ｄｐｉ程度あればよい）を作成する。次に、その画像ファイルを画像解析ソフトに読み込み、測定する範囲をマウスで選択する（図１０（ａ）を参照、点線枠内が選択範囲）。なお、この他にも、取り込み時点で計測する範囲のみを選択しファイルを作成する方法や、使用するソフトの仕様によってはファイルを作成することなく画像を直接解析する方法もある。この際、検査紙Ｐの幅一杯ではなく、一回り内側の範囲を正方形に選択すると、検査紙Ｐの影等が誤差要因となることを低減できる。なお、測定範囲を長方形で範囲選択しても良いが、目視とマウス操作で選択するため、正方形の場合より縦横比がばらつきやすくなる可能性があるので留意が必要である。
【００５３】
以下、（有）デジタル・ビーイング・キッズ社の『ＰｏｐＩｍａｇｉｎｇ（登録商標）』を画像解析ソフトとして用いた場合を一例として説明する。まず、画像解析ソフトのメニューを選択して、解析機能によりヒストグラム表示で汚れの程度を数値化する（図１０（ｂ）を参照）。この際、汚れの黒さの程度が、統計量の枠内の平均濃度に基づき数値化される（濃度範囲は０〜２５５の範囲で数値化され、０が最も黒に近く、２５５が最も白に近い）。さらに、汚れ付着領域（黒側の数値であり、０に近い値）と汚れ無し領域（白側の数値であり、２５５に近い値）とに区分して数値を求め、各々の相対比に基づいて、遊技媒体の汚れの程度を評価するなどしてもよい。
【００５４】
なお、複数回評価を行なう場合であって、その評価対象として、汚れのない部分を含めてこれを測定範囲とする場合には、その測定範囲は、常時一定の面積とすることが好ましい。面積が広いと白色部分の比率が増え平均濃度の値が高くなり、狭いと逆に低くなるためである。そこで、測定範囲を縦長の長方形に選択したり、検査紙ＰのメダルＭとの接触面の形状（＝押圧部材の形状）を正方形にし、その面積を広くするなどして白色部がないように選択できるようにするのも良い。また、測定精度を上げるために、複数回、上述した範囲選択と数値化とを繰返し、それらの測定値の平均を取るようにしても良い。出来れば同一条件の試験を複数回行なって、評価データシート１００は紙ファイルとして保管することが好ましい。
【００５５】
更に、必要に応じて、複数回行なった測定値を表計算ソフトにより集計・分析を行ない、平均や時系列のグラフを作成して、評価するようにしても良い。なお、上述した画像解析ソフトとしては、この他、米国  Ｍｅｄｉａ  Ｃｙｂｅｒｎｅｔｉｃｓ社の画像解析・画像計測・画像処理ソフトである『Ｉｍａｇｅ−Ｐｒｏ』シリーズ等がある。
【００５６】
ここで、上述した遊技媒体の汚れ転写装置１により、メダルＭに付着した汚れを定量的に転写できるという、従来方法よりも飛躍的に優れた効果を示すため、検査者が布製の白い手袋でメダルＭを掴み取ることで汚れを転写した場合と比較した比較試験の結果を説明する。
【００５７】
遊技媒体から転写される汚れ具合が高くなると、測定値も正しい方向に変化するかを試験するため、均質な汚れ具合のメダルを使用し、各サンプルごとにメダル２００枚と２５０枚分の汚れを付着させ、上述した『ＰｏｐＩｍａｇｉｎｇ（登録商標）』を画像解析ソフトとして用いて、以下の（１）〜（３）の３種類の比較をした。（１）手袋を置いてスキャニングした画像全体を濃度測定範囲としたもの（図１１（ａ）を参照）。（２）手袋の人差し指部分の汚れ部分を正方形に選択し濃度測定範囲としたもの（図１１（ｂ）を参照）。（３）汚れ転写装置１でメダルの汚れを転写した検査紙の汚れ付着部を正方形に選択し濃度測定範囲としたもの（図１０（ａ）を参照）。なお、各々のサンプル数は１０とした。
【００５８】
【表１】
2008067973.tif 000003
【００５９】
表１に示す試験結果において、測定した濃度の数値は、０から２５５の範囲で、２５５が最も白に近く、０が最も黒に近くなる。今回の試験においては２５０枚の方は２００枚のサンプルを作成後、再度５０枚追加して作成している。従って、確実に２００枚の場合より２５０枚の方が転写された汚れが多くて黒くなるはずである。すなわち、２００枚の場合より２５０枚の方が数値が下がらなくてはならない。（３）の検査紙においては、全数正しい結果を示している。一方、（１）の手袋全体においては、汚れ部分以外が占める面積が多く、その部分の影響や、手袋が作る影の部分の影響の方が大きいと考えられ、６点も逆の結果を示していることから、測定法として成り立っていない。（２）の手袋の人差し指においては、（１）より改善するものの３点において逆の結果を示している。以上のことから、（３）の検査紙を使った方法が、一番信頼性の高いものであると考えることが出来る。
【００６０】
次に、表１にて示した試験結果を用いて、測定値のばらつきの程度を比較してみる。なお、手袋全体の測定結果は除外し、（１）手袋の人差し指と（２）検査紙の２種類の比較を行なった。
【００６１】
【表２】
2008067973.tif 000004
【００６２】
【表３】
2008067973.tif 000005
【００６３】
表２は、２００枚のメダルから汚れを転写した場合を示し、表３は、２５０枚のメダルから汚れを転写した場合を示す。まず、（１）と（２）の各グループごとに測定値の平均を求め、各サンプルの測定値が測定値の平均よりどれだけ増減しているか百分率で求め、さらに絶対値を求めることによりズレの値を出し、その平均も求めた。その結果、２００枚と２５０枚の場合の双方とも、（１）手袋の人差し指の測定値におけるズレの平均が２０％以上生じているのに対し、（２）検査紙では１％にも満たない結果となった。
【００６４】
更に、表２、表３におけるズレの値（増減率の絶対値）を、図１２と図１３にグラフ化して示す。この結果からも明らかなように、２００枚のメダルから汚れを転写した場合も、２５０枚のメダルから汚れを転写した場合においても、（１）手袋の人差し指と（２）検査紙とではズレの程度が顕著に異なっており、（１）検査紙の場合は、（２）手袋の場合と比べほとんどばらつきが出ていないことが読み取れる。
【００６５】
すなわち、上述した汚れ転写方法あるいはこの方法を具現化する汚れ転写装置１によれば、メダルＭの表面に付着した汚れを検査紙Ｐへ定量的に転写させることができる。したがって、その検査紙Ｐに付着した汚れの程度を、画像解析・画像計測・画像処理ソフト等によって解析すれば、適正でかつ信頼性の高い、定量的な汚れ評価を行なうことが可能となる。なお、以上に説明した汚れ評価は、エアコンおよび加湿機あるいは除湿機等により、例えば四季を通じて、ある一定の気温・湿度下において実施されることが好ましい。その具体的な範囲としては、気温に関しては１５〜３０℃、湿度に関しては４０〜６５％である。すなわち、実際のホールでの環境を再現することが好ましい。
【００６６】
以上、本発明に係る遊技媒体貸出装置の実施形態を添付図面に基づいて説明したが、本発明の包摂範囲は、これらの実施形態に限定されるものではなく、公知既存の手法を適宜転用することで実現しても構わない。
【００６７】
例えば、図１４に示すように、支持ベース３０に支持固定するチャンバー部材２０は、バネ等の弾性部材２１を介して固定することにしてもよい。このような構成とすることで、例えばピストン部材４３が全開、もしくは全閉でない位置に停止した状態でメダルＭを装填したことにより、メダル送出待機部３１ａ内に斜めにメダルＭが進入してしまって、ピストン部材４３に噛み込まれかけた場合でも、メダルＭからの圧力により弾性部材２１の付勢に抗してチャンバー部材２０が上方へと持ち上げられることで、メダルＭの逃げ場が確保されて、効果的に噛み込み状態を回避できる。また、センサー、スイッチ等でピストン部材４３の位置を検出し、常に全開もしくは全閉位置で停止するような機構を設けても良い。
【００６８】
また、図１５（ａ）、（ｂ）に示すように、導電性の天板５１における切欠部５１ｂよりも軸受部５１ａ側の上方に非導電性の導電部材ホルダ５４を配置し、導電部材ホルダ５４の下面にバネ等により押し付けられた導電部材５４ａにリード線５４ｂを介して所定電圧を印加しておき、検査紙Ｐが固定されていないときは、当該導電部材５４ａが天板５１と導通し、リード線５４ｂからアースされた天板５１を介して電流が流れる構成としておき、リード線５４ｂに電流が流れる（印加電圧が下がる）ことでブザー等の報知手段を作動させることにしても良い。このような構成によれば、検査紙Ｐが取り付けられていないことを検査者へ報知できるので、検査者が汚れ転写装置１に検査紙Ｐを取り付けずに汚れ評価試験を開始してしまうことを防止することができる。また、導電部材５４ａは、検査媒体保持手段と兼ねさせても良い。
【００６９】
また、図１６に示すように、上述した押圧手段６０の付勢部材６４に代えて、支持ベース３０の下方に配置した錘部材６５によって押圧部材６６を下向きに付勢する構成とし、押圧部材６６の下面に設けた弾性部材５３によって検査紙Ｐを押圧することにしてもよい。なお、錘部材６５の荷重は、メダル通過路３１の左右両側方にて上下に貫通する左右一対の錘ガイド６７ａ，６７ｂ、これら錘ガイド６７ａ，６７ｂの上端が固定された加圧プレート６８、加圧プレート６８の左右２箇所を各々押圧部材６６に固着する固着ビス６６ａ，６６ｂを介して押圧部材６６に伝達される。なお、固着ビス６６ａ側で押圧部材６６と加圧プレート６８との間に挟み込ませるバネワッシャ６９の締め付け程度を変化させることで、押圧部材６６と加圧プレート６８との離隔間隔を微調整し、加圧プレート６８の水平度を調整するための調整手段としてもよく、左右方向のみならず前後方向（メダルＭが移動するのと平行な方向）にも同様に構成して良い。斯くすれば、検査紙Ｐの汚れ転写面がメダルＭの上面に対して片当たりすることを高い精度で防止できるので、更に適正な汚れ評価試験を行なうことが可能となる。
【００７０】
また、本発明は、遊技機に利用される硬貨等、他の円盤状のものについても適用可能なことはもちろんのこと、球体（例えばパチンコ球）等のものであってもよく、その大きさも限定されない。すなわち、その形状や大きさに応じて、例えば整列ガイド１０の凹溝１１や検査紙保持手段５０、メダル通過路３１等の形状を変化させて、また、押圧手段の荷重を変化させることで、容易にこれに対応することができる。
【図面の簡単な説明】
【００７１】
【図１】遊技媒体をメダルとした実施形態に係る遊技媒体の汚れ転写装置の全体構成を示す側面図である。
【図２】図１における矢印ＩＩ方向から見た遊技媒体の汚れ転写装置の上面図である。
【図３】図２における矢印ＩＩＩ方向から見た遊技媒体の汚れ転写装置の上面図である。
【図４】メダル送出機能部におけるメダル送り出し動作の説明図である。
【図５】押圧機能部を設けた部位における支持ベースの概略縦断面図である。
【図６】（ａ）は、天板に対する検査紙の取り付け動作説明図である。（ｂ）は、天板に検査紙を取り付けた状態の側面図である。
【図７】（ａ）は、メダル投入具の平面図である。（ｂ）は、メダル投入具の側面図である。
【図８】メダルの汚れ評価方法の各処理工程を示すフローチャートである。
【図９】遊技媒体の汚れが転写された検査紙を貼付して諸記録を残すために用いる評価データシートの構成説明図である。
【図１０】（ａ）は、評価データシートに貼付した検査紙をスキャナーで取り込んだ取り込み画像のイメージ図である。（ｂ）は、検査紙の取り込み画像における汚れ転写領域のヒストグラム表示のイメージ図である。
【図１１】（ａ）は、遊技媒体の汚れが転写された手袋全体をスキャナーで取り込んだ取り込み画像のイメージ図である。（ｂ）は、手袋の人差し指における汚れ転写領域を範囲指定するイメージ図である。
【図１２】２００枚のメダルから汚れを転写した検査紙と手袋の人差し指における転写汚れの増減率の絶対値を示す特性図である。
【図１３】２５０枚のメダルから汚れを転写した検査紙と手袋の人差し指における転写汚れの増減率の絶対値を示す特性図である。
【図１４】弾性部材により取り付けた固定チャンバー部材の構成説明図である。
【図１５】検査紙の取付忘れを検出可能とした天板の構成説明図である。
【図１６】水平度を調整可能な押圧手段の構成説明図である。
【符号の説明】
【００７２】
１      汚れ転写装置
３１    メダル通過路
４０    送出手段
５０    検査紙保持手段
６０    押圧手段
Ｍ      メダル
Ｐ      検査紙
【図１】
2008067973.tif 000006
【図２】
2008067973.tif 000007
【図３】
2008067973.tif 000008
【図４】
2008067973.tif 000009
【図５】
2008067973.tif 000010
【図６】
2008067973.tif 000011
【図７】
2008067973.tif 000012
【図８】
2008067973.tif 000013
【図９】
2008067973.tif 000014
【図１０】
2008067973.tif 000015
【図１１】
2008067973.tif 000016
【図１２】
2008067973.tif 000017
【図１３】
2008067973.tif 000018
【図１４】
2008067973.tif 000019
【図１５】
2008067973.tif 000020
【図１６】
2008067973.tif 000021